(57)【要約】【課題】エンジンを間欠運転させるエコラン制御実行中のハイブリッド車両において、冷却水温度の上昇のためだけにエンジン始動を行わせないようにすることで燃費の向上を図れるハイブリッド車両の制御装置を提供する。【解決手段】エンジン１２とモータＭＧ１、ＭＧ２と空調装置７１とを備えるハイブリッド車両に設けられ、停止条件が成立することによりエンジン１２の駆動を停止する一方で始動条件が成立することにより駆動停止中のエンジン１２を始動するハイブリッド車両１０の制御装置６６は、空調装置７１の暖房性能確保のためのエンジン始動要求があったときにエンジン暖機のためのエンジン始動要求又は走行用動力出力のためのエンジン始動要求があるとき以外はエンジン始動を禁止する制御を実行する。【選択図】図５
2010255504.tif 000002
【特許請求の範囲】
【請求項１】
走行用動力を出力可能なエンジンと、走行用動力を出力可能な電動機又は発電可能な発電機として機能するモータと、エンジンの冷却液から受熱した空気によって車内を暖房する空調装置とを備えるハイブリッド車両に設けられ、停止条件が成立することによりエンジンの駆動を停止する一方で始動条件が成立することにより駆動停止中のエンジンを始動するハイブリッド車両の制御装置であって、
空調装置の暖房性能確保のためのエンジン始動要求があったときにエンジン暖機のためのエンジン始動要求又は走行用動力出力のためのエンジン始動要求があるとき以外はエンジン始動を禁止する制御を実行する、ハイブリッド車両の制御装置。
【発明の詳細な説明】
【技術分野】
【０００１】
本発明は、ハイブリッド車両の制御装置に係り、特に、間欠的にエンジンの始動および停止を行うハイブリッド車両の制御装置に関する。
【背景技術】
【０００２】
従来、走行用動力を出力するエンジンと、バッテリからの電力により駆動されて走行用動力を出力する電動機および回生時やエンジン動力の供給を受けて発電を行う発電機として機能するモータとを備えたハイブリッド車両が知られている。
【０００３】
このようなハイブリッド車両では、燃費の向上や停車時のＮＶ（騒音・振動）性能の向上を図るべく、エンジンを間欠的に停止および始動させることが行われる場合がある。以下、このようなエンジンの間欠運転制御をエコラン制御ということとする。
【０００４】
また、通常、ハイブリッド車両等の自動車においては、エンジンの冷却によって昇温した冷却液（以下、適宜に「冷却水」という場合がある）によって暖められた空気を車内に吹き出すことによって車内を暖房する空調装置が装備されている。この空調装置の暖房性能を確保または維持するためには、ユーザ操作による暖房設定温度等に応じて決まる所定温度以上に上記冷却水の温度を維持しておく必要がある。
【０００５】
例えば、特許文献１（特開２００８−８２１５号公報）には、エンジンを間欠運転させるエコラン制御を行っている車両において、空調装置の暖房能力を維持するために、冷却水の温度が下限閾値未満になったとき駆動停止中のエンジンを始動させることにより冷却液の温度を上昇させ、上限閾値に達するとエンジンの駆動を停止させることが記載されている。
【先行技術文献】
【特許文献】
【０００６】
【特許文献１】特開２００８−８２１５号公報
【発明の概要】
【発明が解決しようとする課題】
【０００７】
しかしながら、上記のようにエンジンを間欠運転させるエコラン制御を実行中のハイブリッド車両において、空調装置による暖房性能維持だけのために、すなわち冷却水温度だけに依存してエンジンの始動および停止が行われると、エンジンで消費される燃料エネルギーのうち約３分の１程度しか冷却水温度の上昇に寄与せずに残りの３分の２は無駄になり、燃費向上を阻害する要因になる。
【０００８】
本発明の目的は、エンジンを間欠運転させるエコラン制御実行中のハイブリッド車両において、冷却水温度の上昇のためだけにエンジン始動を行わせないようにすることで燃費の向上を図れるハイブリッド車両の制御装置を提供することにある。
【課題を解決するための手段】
【０００９】
本発明に係るハイブリッド車両の制御装置は、走行用動力を出力可能なエンジンと、走行用動力を出力可能な電動機又は発電可能な発電機として機能するモータと、エンジンの冷却液から受熱した空気によって車内を暖房する空調装置とを備えるハイブリッド車両に設けられ、停止条件が成立することによりエンジンの駆動を停止する一方で始動条件が成立することにより駆動停止中のエンジンを始動するハイブリッド車両の制御装置であって、空調装置の暖房性能確保のためのエンジン始動要求があるときに、エンジン暖機のためのエンジン始動要求又は走行用動力出力のためのエンジン始動要求があるとき以外は、エンジン始動を禁止する制御を実行するものである。
【発明の効果】
【００１０】
本発明に係るハイブリッド車両の制御装置によれば、空調装置の暖房性能確保のためのエンジン始動要求があるときに、エンジン暖機のためのエンジン始動要求又は走行用動力出力のためのエンジン始動要求があるとき以外はエンジン始動を禁止する制御を実行することにより、空調装置の暖房性能確保を目的として冷却水の温度を上昇させるためだけにエンジンを作動させることが無くなり、さらなる燃費の向上を図れる。
【図面の簡単な説明】
【００１１】
【図１】本発明の一実施形態である制御装置が適用されるハイブリッド車両の概略構成図である。
【図２】車載ヒータに基づくエンジン始動要求によって、エンジン暖機時および走行用動力出力時以外にエンジンが作動される状態を模式的に示す図である。
【図３】イグニッションスイッチオンによるエンジン始動時から時間の経過と共に冷却水温度が上昇する様子を示すグラフである。
【図４】エンジンを間欠的に始動および停止させるための処理手順を示すフローチャートである。
【図５】車載ヒータによる暖房性能の維持のためだけのエンジン始動を禁止する処理手順を示すフローチャートである。
【発明を実施するための形態】
【００１２】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００１３】
図１は、本発明の一実施形態であるモータ駆動制御装置を含むハイブリッド車両１０の概略構成を示す図である。図１において、動力伝達系は実線で、電力ラインは一点鎖線で、信号ラインは点線でそれぞれ示されている。ハイブリッド車両１０は、走行用の動力を出力可能なエンジン１２と、２つの３相交流同期型モータジェネレータ（以下、単に「モータ」という。）ＭＧ１，ＭＧ２と、動力分配統合機構１４とを備える。
【００１４】
エンジン１２は、ガソリンや軽油等を燃料とする内燃機関である。エンジン１２は、エンジン用ＥＣＵ(Electronic Control Unit)（以下、「エンジンＥＣＵ」という。）１６と電気的に接続されており、エンジンＥＣＵ１６からの制御信号を受けて燃料噴射、点火、吸引空気量等が調節されることで始動および停止を含む作動が制御されるようになっている。エンジン１２の回転数Ｎｅは、エンジン１２からの動力を出力する出力軸１３に近接して設けられた回転位置センサ１１による検出値に基づいてエンジンＥＣＵ１６において算出される。
【００１５】
動力分配統合機構１４は、中心部に配置されるサンギヤ１８と、サンギヤ１８と同心上に配置され円環内周部に内歯を有するリングギヤ２０と、サンギヤ１８とリングギヤ２０の両方にそれぞれ噛合する複数のプラネタリギヤ２２とを含んで構成される遊星歯車機構からなっている。複数のプラネタリギヤ２２は、キャリア２６の端部にそれぞれ回転可能に取り付けられている。
【００１６】
動力分配統合機構１４において、キャリア２６にはトルク衝撃緩和用のダンパ２４を介してエンジン１２の出力軸１３が連結され、サンギヤ１８にはモータＭＧ１のロータ２９に接続される回転軸３０が連結され、リングギヤ２０にはリングギヤ軸３２を介して減速機３４が連結されている。これにより、動力分配統合機構１４では、モータＭＧ１が発電機として機能するときにはキャリア２６から入力されるエンジン１２からの動力がサンギヤ１８側とリングギヤ２０側とにそのギヤ比に応じて分配され、モータＭＧ１が電動機として機能するときにはキャリア２６から入力されるエンジン１２の動力とサンギヤ１８から入力されるＭＧ１からの動力が統合されてリングギヤ２０からリングギヤ軸３２を介して所定減速比のギヤ列を含む減速機３４へ入力されるよう構成されている。
【００１７】
モータＭＧ２のロータ３６に接続される回転軸３８もまた減速機３４に接続されており、モータＭＧ２が電動機として機能するときにはモータＭＧ２からの動力が減速機３４へ入力されるようになっている。
【００１８】
リングギヤ軸３２およびＭＧ２の回転軸３８の少なくとも一方から入力される動力は、減速機３４を介して車軸４０へ伝達され、これにより車輪４２が回転駆動される。一方、回生制動時に車輪４２および車軸４０から減速機３４を介して回転軸３８に動力が入力されるとき、ＭＧ２は発電機として機能する。ここで、回生制動時は、運転者がブレーキ操作を行って車両速度を減速した場合に限らず、運転者がアクセルペダルの踏み込みを解除して車両加速を中止した場合や、車両が下り坂を重力作用によって走行している場合等を含む。
【００１９】
モータＭＧ１，ＭＧ２は、それぞれ対応するインバータ４４，４６に電気的にそれぞれ接続され、各インバータ４４，４６は、ＤＣ／ＤＣコンバータ（以下、単に「コンバータ」という。）４８を介して電源装置としてのバッテリ５０に電気的に接続されている。バッテリ５０には、リチウムイオン電池等の二次電池が好適に用いられる。ただし、バッテリに代えて、化学反応を伴わずに蓄電可能なキャパシタや、水素を燃料として発電する燃料電池等が電源装置として用いられてもよい。
【００２０】
モータＭＧ１，ＭＧ２が電動機として機能するとき、コンバータ４８にはバッテリ５０から平滑コンデンサ５２を介してバッテリ電圧である直流電圧Ｖｂが供給される。コンバータ４８は、入力電圧Ｖｂを所定値Ｖｃにまで昇圧して出力する機能を有する。また、コンバータ４８は、規格により最大昇圧可能電圧が決められており、例えば２００Ｖのバッテリ電圧Ｖｂを最大６５０Ｖまで昇圧することが可能である。コンバータ４８は、一般に、１つのリアクトルと、２つの電力用スイッチング素子（例えばＩＧＢＴ）およびこれらに逆並列に接続された２つのダイオードを含んで構成されるが、これに限定されるものではなく、直流電圧の昇降圧機能を有する如何なる構成のコンバータが用いられてもよい。
【００２１】
コンバータ４８から出力される直流電圧Ｖｃは、平滑コンデンサ５４を介してインバータ４４，４６に入力される。各インバータ４４，４６は、入力された直流電圧Ｖｃを三相交流電圧に変換して、モータＭＧ１，ＭＧ２に印加し、これにより各モータＭＧ１，ＭＧ２が電動機として回転駆動されるようになっている。上記のようにコンバータ出力電圧Ｖｃはインバータ入力電圧であり、以下これをシステム電圧ＶＨということがある。
【００２２】
各インバータ４４，４６は、それぞれダイオードが逆並列接続された２つの電力用スイッチング素子（例えばＩＧＢＴ）を直列接続して各々構成されるＵ相アーム、Ｖ相アームおよびＷ相アームを含んで構成され、上記Ｕ相、Ｖ相、Ｗ相の各相アームの中間点がモータＭＧ１，ＭＧ２の各相コイルにそれぞれ接続されている。ただし、インバータは、上述した構成のものに限定されず、直流・交流変換機能を有する如何なる構成のものが用いられてもよい。
【００２３】
モータＭＧ１は、動力分配統合機構１４を介してエンジン１２に連結されていることから、電動機として駆動してエンジン始動時のセルモータとしても用いることができ、さらには、電動機として駆動してトルク制御を行うことによりエンジン１２の回転数Ｎｅを変速するための変速機として用いることもできる。
【００２４】
一方、モータＭＧ１，ＭＧ２が発電機として機能するとき、モータＭＧ１，ＭＧ２から出力される三相交流電圧をインバータ４４，４６で直流変換した後、コンバータ４８で降圧してバッテリ５０に充電する。また、インバータ４４，４６は、コンバータ４８に接続される電力ライン５６および接地ライン５８を共通にしていることから、モータＭＧ１，ＭＧ２のうち一方のモータで発電した電力をコンバータ４８を介さずに他方のモータに供給して回転駆動させることもできる。
【００２５】
インバータ４４，４６は、モータ用ＥＣＵ（以下、「モータＥＣＵ」という。）６０にそれぞれ電気的に接続されており、モータＥＣＵ６０から送信される電力用スイッチング素子のオン・オフ制御信号に基づいて作動制御される。また、モータＭＧ１，ＭＧ２には、各ロータ２９，３６の回転角を検出する回転角センサ３１，３７が設けられている。回転角センサ３１，３７は、例えばレゾルバ等によって好適に構成される。各回転角センサ３１，３７による検出値は、モータＥＣＵ６０に入力されて各モータ回転数Ｎｍ１，Ｎｍ２の算出等に用いられる。
【００２６】
モータＥＣＵ６０は、後述するハイブリッドＥＣＵ６６から入力されるトルク指令Ｔｒ＊に基づき要求される動力をモータＭＧ１および／またはＭＧ２から出力させるようコンバータ４８およびインバータ４４，４６を制御する。また、モータＥＣＵ６０は、ハイブリッドＥＣＵ６６から回生指令を受信したとき、モータＭＧ２から出力される発電電力をバッテリ５０に充電するようコンバータ４８およびインバータ４６を制御する。
【００２７】
バッテリ５０には、充電状態または残容量（ＳＯＣ：State Of Charge）を検出するためのＳＯＣセンサ６２が設けられている。ＳＯＣセンサ６２は、バッテリ５０の充放電電流を検出する電流センサで構成されることができる。ＳＯＣセンサ６２による検出値は、バッテリ用ＥＣＵ（以下、「バッテリＥＣＵ」という。）６４に入力される。また、バッテリＥＣＵ６４には、電圧センサで検出されるバッテリ電圧Ｖｂや、図示しない温度センサによって検出されるバッテリ温度等が入力されるようになっている。バッテリＥＣＵ６４は、ＳＯＣセンサ６２により検出される充放電電流の積算値に基づいてバッテリ残容量ＳＯＣが適正範囲に維持されるように監視しており、バッテリ残容量ＳＯＣに応じて充電制限信号や放電制限信号をハイブリッド用ＥＣＵ（以下、「ハイブリッドＥＣＵ」という。）６６へ出力する。
【００２８】
ハイブリッドＥＣＵ（制御装置）６６は、エンジンＥＣＵ１６、モータＥＣＵ６０およびバッテリＥＣＵ６４と電気的にそれぞれ接続されており、エンジン１２およびモータＭＧ１，ＭＧ２を統括的に作動制御すると共にバッテリ５０を管理する機能を有する。ハイブリッドＥＣＵ６６は、車両制御のための各種プログラムを実行するＣＰＵ、制御プログラムや制御用マップ等を格納するＲＯＭ、各種検出値を随時に記憶および読み出し可能なＲＡＭ等からなるマイクロコンピュータで構成されることができる。上記ＲＯＭに記憶されるマップには、後述するエンジン間欠作動制御プログラムや、暖房用エンジン始動禁止プログラムが予め格納されている。
【００２９】
ハイブリッドＥＣＵ６６は、エンジンＥＣＵ１６との間で、必要に応じてエンジン制御信号を送信し、必要に応じてエンジン作動状態に関するデータ（例えばエンジン回転数Ｎｅ等）を受信する。また、ハイブリッドＥＣＵ６６は、モータＥＣＵ６０との間で、必要に応じて要求トルク指令Ｔｒ＊を送信し、必要に応じてモータ作動状態に関するデータ（例えばモータ回転数Ｎｍ１，Ｎｍ２、モータ電流等）を受信する。さらに、ハイブリッドＥＣＵ６６は、バッテリＥＣＵ６４からバッテリ残容量ＳＯＣ、バッテリ電圧、バッテリ温度、充放電制限信号等のバッテリ管理に必要なデータを受信する。
【００３０】
ハイブリッドＥＣＵ６６には、車速センサ６８およびアクセル開度センサ７０が電気的に接続されており、ハイブリッド車両１０の走行速度である車速Ｓｖと、図示しないアクセルペダルの踏み込み量に対応するアクセル開度情報Ａｃとがそれぞれ入力される。
【００３１】
また、ハイブリッドＥＣＵ６６は、車載の空調装置７１が電気的に接続されており、空調装置７１上でユーザ操作により設定される空調目標温度等に基づいて空調装置７１の作動制御も実行する。ここで、空調装置７１は、車室内についての送風、冷暖房、除湿等を行う周知のものである。一般に、空調装置７１の暖房機能は、エンジン１２の冷却によって昇温したエンジン冷却水から、ヒータコアを介して、車内または車外から取り込まれた空気が受熱することによって暖められた後に、車室内に吹き出されることによって実行される。
【００３２】
なお、上記においては、ハイブリッドＥＣＵ６６が空調装置７１の制御を兼ねるものとして説明するが、空調装置用のＥＣＵが別途設けられてもよい。
【００３３】
続いて、上記構成からなるハイブリッド車両１０のハイブリッドＥＣＵ６６において実行されるエコラン制御について説明する。
【００３４】
ハイブリッドＥＣＵ６６では、入力される車速Ｓｖ、アクセル開度信号Ａｃ、エンジン回転数Ｎｅ等に基づいて車両の運転操作状態や走行状態を検出し、予め設定されているエンジン停止条件が成立することによりエンジン１２の駆動を停止し、また、エンジン１２の駆動を停止しているときに、エンジン始動条件が成立することにより、停止しているエンジン１２を再始動するエコラン制御を行う。
【００３５】
図２に、このときのエンジン停止／再始動制御の処理手順を示す。なお、このフローチャートは、イグニッションスイッチ（ＩＧ）がオンされることにより実行され、イグニッションスイッチがオフされることにより終了する。また、基本的なエンジン停止条件及びエンジン再始動条件は、公知の条件を適用することができ、ここでは詳細な説明を省略する。
【００３６】
このフローチャートでは、イグニッションスイッチがオンされると、エンジン１２が駆動停止状態から実行され、各種のセンサ等によって検出される運転操作状態及び車両の走行状態を読み込み（ステップＳ１０）、次に、エンジン再始動条件（エンジン始動条件）が成立したか否かを判定する（ステップＳ１２）。
【００３７】
ここで、エンジン１２の再始動条件が成立しているとき（ステップＳ１２でＹＥＳ）、エンジン１２を始動（再始動）する（ステップＳ１４）。これにより、車両１０は、エンジン１２の駆動力による走行が可能となる。
【００３８】
その後、運転操作状態及び走行状態を読み込み（ステップＳ１６）、駆動されているエンジン１２を停止するエンジン停止条件が成立したか否かを判定する（ステップＳ１８）。
【００３９】
ここで、例えば、図示しない温度センサによって検出されるエンジン冷却水の温度が所定範囲内にあるときに、車速Ｓｖがほぼ０になってハイブリッド車両１０が停車状態にあるなどして、エンジン停止条件が成立すると（ステップＳ１８でＹＥＳ）、エンジン停止禁止フラグＦが１に設定されていないことを確認して（ステップＳ２０でＮＯ）、エンジン１２を停止する（ステップＳ２２）。
【００４０】
上記エンジン停止禁止フラグＦは、空調装置７１による所望の暖房性能が確保されるまでにエンジン冷却水温度が上限閾値まで上昇していないときに１に設定されてエンジン停止が禁止され、エンジン冷却水温度が上限閾値に達すると０に設定されてエンジン停止が許可されるものである。
【００４１】
このように、エンジン停止条件が成立することによりエンジン１２の駆動を停止し、エンジン再始動条件が成立することにより、停止中のエンジン１２を再始動する。これにより、エンジン１２が間欠的に駆動され、燃費向上、エミッションの抑制、停車中のＮＶ性能向上等が図られるようにしている。
【００４２】
一方、ユーザの操作に応じて空調装置７１に所望の温度での暖房運転を可能にするため、エンジン冷却水の温度が所定の暖房能力が確保される水温となるようにエンジン１２の停止を禁止するようにしており、エンジン停止状態でエンジン再始動条件が成立していないときには（ステップＳ１２でＮＯ）、エンジン停止禁止フラグＦが１であるか否かを判定する（ステップＳ２４）。
【００４３】
そして、エンジン停止禁止フラグＦが１であるときには（ステップＳ２４でＹＥＳ）、上記ステップＳ１４以降の処理を実行し、エンジン停止禁止フラグＦが１でないときには（ステップＳ２４でＮＯ）、そのまま処理を終了する。
【００４４】
図３は上記のようなエコラン制御下でのエンジン始動要求を模式的に示す図であり、図４はそのときのエンジン冷却水の温度の変化状態を示すグラフである。
【００４５】
図３（Ｃ）に示すように、イグニッションスイッチオンによりエンジン始動要求が発生しエンジン１２の駆動が開始されるが、図４に示すようにエンジン冷却水温度がＴ１まで上昇して暖機運転を完了したときには、暖機のためのエンジン始動要求は解除される。
【００４６】
しかし、エンジン１２を間欠的に始動および停止させるエコラン制御実行中に、空調装置７１の暖房性能を確保しておくために、図３（Ｂ）および図４に示すように、冷却水温度が温度Ｔ２に達するまで上記エンジン停止禁止フラグＦが１のままであるためエンジン始動要求が継続され、エンジン１２が例えばアイドル状態で引き続き駆動されることになる。
【００４７】
冷却水温度の上昇のためにエンジン１２が駆動されている間に、図３（Ｄ）に示すようにエンジン１２から走行用動力を出力させるためのエンジン始動要求があった場合には、その間は要求される動力を出力するようエンジン１２の駆動が制御されることになる。
【００４８】
ハイブリッド車両１０がモータＭＧ２からの動力で走行可能な例えば低速走行状態になるか又はほぼ停車状態になると、エンジン１２に対する走行用動力出力のためのエンジン始動要求が解除されるが、このときエンジン冷却水の温度が未だ温度Ｔ２に達していない場合には、上記エンジン停止禁止フラグＦが１のままであるため、エンジン１２は例えばアイドル状態で引き続き駆動されることになる。
【００４９】
そして、エンジン冷却水が温度Ｔ２まで上昇したことを検知すると、エンジン停止禁止フラグＦが０にリセットされ、これにより冷却水温度に基づくエンジン始動要求が解除されて、エンジン１２の駆動が停止される。
【００５０】
このように、図３（Ａ）に示すように、ユーザによるイグニッションスイッチのオン操作から、空調装置７１による暖房性能確保のためのエンジン駆動の停止までの全体の時間帯ＩＧオン〜ｔ２のうち、暖機のためのエンジン始動要求期間および走行用動力を出力するためのエンジン始動要求以外の時間帯、すなわちハッチングで示す時間帯領域Ｐ１，Ｐ２では、エンジン１２は空調装置７１による暖房性能確保だけのために駆動されていることになる。しかし、これらの時間帯領域Ｐ１，Ｐ２においてエンジン１２で消費される燃料エネルギーのうち約３分の１程度しかエンジン冷却水温度の上昇に寄与せずに残りの３分の２は無駄になり、燃費向上を阻害する要因になる
【００５１】
そこで、本実施形態におけるハイブリッドＥＣＵ６６では、図５に示すようなエンジン始動禁止制御を実行する。空調装置７１上には例えば押しボタンやタッチパネル等のインターフェースが設けられており、このインターフェースを介してユーザがオン操作すると、ハイブリッドＥＣＵ６６においてエコラン制御下で間欠運転されるエンジン１２の駆動停止中に上記ＲＯＭからエンジン始動禁止制御プログラムが読み出されて実行される。
【００５２】
このエンジン始動禁止制御では、まず、冷却水温度を上昇させるためのエンジン始動要求があるか否かが判定される（ステップＳ３０）。そして、このエンジン始動要求がない場合には（ステップＳ３０でＮＯ）、そのまま処理を終了する。
【００５３】
一方、冷却水温度を上昇させるためのエンジン始動要求があるとき（ステップＳ３０でＹＥＳ）、続いて、暖機または走行用動力出力のためのエンジン始動要求があるか否かを判定する（ステップＳ３２）。ここで、暖機または走行用動力出力のためのエンジン始動要求があると確認されたとき（ステップＳ３２でＹＥＳ）、エンジン１２の再始動を許可し（ステップＳ３４）、一方、暖機または走行用動力出力のためのエンジン始動要求がないと確認されたとき（ステップＳ３２でＮＯ）、エンジン１２の再始動を禁止する（ステップＳ３６）。
【００５４】
上述したように本実施形態におけるエンジン始動禁止制御によれば、空調装置７１の暖房性能確保のためのエンジン始動要求があるときに、エンジン暖機のためのエンジン始動要求又は走行用動力出力のためのエンジン始動要求があるとき以外はエンジン始動を禁止する制御を実行することにより、空調装置７１の暖房性能確保を目的として冷却水の温度を上昇させるためだけにエンジン１２を駆動させることが無くなり、エコラン制御下でさらなる燃費の向上を図れる。
【００５５】
なお、上記エンジン始動禁止制御は、ユーザによるオン操作からタイマを作動させて所定時間経過後に自動的にオフされるように構成されてもよいし、あるいは、ユーザによるオフ操作があるまで継続されてもよい。
【符号の説明】
【００５６】
１０  ハイブリッド車両、１１  回転位置センサ、１２  エンジン、１３  出力軸、１４  動力分配統合機構、２９，３６  ロータ、３０，３８  回転軸、３１，３７  回転角センサ、３４  減速機、３８  回転軸、４０  車軸、４２  車輪、４４，４６  インバータ、４８  コンバータ、５０  バッテリ、６６  ハイブリッドＥＣＵ、７１  空調装置、ＭＧ１，ＭＧ２  モータ。
【図１】
2010255504.tif 000003
【図２】
2010255504.tif 000004
【図３】
2010255504.tif 000005
【図４】
2010255504.tif 000006
【図５】
2010255504.tif 000007